(57)【要約】【課題】  ＬＥＤ光源により照射対象物の加熱や劣化を防止することができ、かつ、ダクトレールに設置された複数の照明器具であっても、これら各々照明器具を個別に適切に制御することができる個別制御可能な屋内照明設備を提供すること。【解決手段】  通電するダクトレール２を屋内の天井Ｃに配設して、かつ、このダクトレール２に複数の照明器具１・１…を着脱自在に構成した照明設備において、前記各照明器具１には、それぞれ固有の個体識別番号を設定して、無線送信機３によって任意の照明器具１の個体識別番号を選択して、当該照明器具１の水平駆動機構13および俯仰駆動機構14および調光器12の駆動操作信号を無線受信部18に送信することによって、各照明器具１を個別に制御可能に構成するという技術的手段を採用した。【選択図】  図４
2012174548.tif 000002
【特許請求の範囲】
【請求項１】
通電するダクトレール（２）が屋内の天井（Ｃ）に配設されており、かつ、このダクトレール（２）に複数の照明器具（１・１…）が着脱自在に構成された照明設備において、
これら各照明器具（１）には、ＬＥＤ光源（11）と、このＬＥＤ光源（11）の照度を増減可能な調光器（12）と、同ＬＥＤ光源（11）の支持部を水平方向および俯仰方向にそれぞれ回転駆動せしめる水平駆動機構（13）および俯仰駆動機構（14）と、これら調光器（12）と水平駆動機構（13）と俯仰駆動機構（14）とを制御することによりＬＥＤ光源（11）の照度と照射方向を調節可能ならしめる制御基板（15）と、前記ダクトレール（２）の連結部（21）に着脱自在なコネクター（16）と、このコネクター（16）を介して当該ダクトレール（２）から器具内部に電力を供給可能な導電線（17）と、外部無線を受信して前記制御基板（15）に信号を送信せしめる無線受信部（18）とを具備して構成されている一方、
前記各照明器具（１）には、それぞれ固有の個体識別番号が設定されており、無線送信機（３）によって任意の照明器具（１）の個体識別番号を選択して、当該照明器具（１）の水平駆動機構（13）および俯仰駆動機構（14）および調光器（12）の駆動操作信号を前記無線受信部（18）に送信することによって、各照明器具（１）を個別に制御可能に構成したことを特徴とする個別制御可能な屋内照明設備。
【請求項２】
照明器具（１）の水平駆動機構（13）および俯仰駆動機構（14）が、モータおよびウォームギヤによる回転駆動であることを特徴とする請求項１記載の個別制御可能な屋内照明設備。
【請求項３】
照明器具（１）のＬＥＤ光源（11）の調光器（12）における調光手段が、ＰＷＭ（Pulse-Width-Modulation）方式による光量調節であることを特徴とする請求項１または２記載の個別制御可能な屋内照明設備。
【請求項４】
無線送信機（３）による通信方式が、ＩＥＥＥ８０２．１５．４で規定される無線ＬＡＮ標準規格に準拠することを特徴とする請求項１〜３の何れか一つに記載の個別制御可能な屋内照明設備。
【請求項５】
照明器具（１）のＬＥＤ光源（11）から照射された光の照度を所定間隔を設けて計測可能な照度計が無線送信機（３）に内蔵されており、この照度計により計測した照度データを照明器具（１）に送信することによって前記ＬＥＤ光源（11）の照度を増減可能であることを特徴とする請求項１〜４の何れか一つに記載の個別制御可能な屋内照明設備。
【発明の詳細な説明】
【技術分野】
【０００１】
本発明は、屋内照明設備の改良、更に詳しくは、ＬＥＤ（Light-Emitting-Diode）光源により照射対象物の加熱や劣化を防止することができ、かつ、ダクトレールに設置された複数の照明器具であっても、これら各々照明器具を個別に適切に制御することができる個別制御可能な屋内照明設備に関するものである。
【背景技術】
【０００２】
周知のとおり、美術館や博物館、あるいは演劇場の舞台などにおいては、作品や演者を局部的にライトアップするためのスポットライトが用いられている（例えば、特許文献１参照）。
【０００３】
従来、光源には白熱電灯が使用されていたが、消費電力が大きくて、かつ、寿命が短いという欠点があり、更に、光線に含まれる紫外線によって貴重な美術品等の照射対象物を劣化させてしまうという問題がある。
【０００４】
更に悪くは、フィラメントの発熱により生じる赤外線の輻射熱は、これまた作品を損傷させてしまうおそれがあるし、舞台上の演者にとっても、非常に暑くて体調が崩れるという不満もあった。
【０００５】
そして、かかるスポットライトを使用するにあっては、通常、電源供給用のダクトレールが天井に配設されており、脚立や足場などを使用して上に登り、このダクトレールの凹溝連結部にスポットライトの電源コネクター（プラグ）を連結する。
【０００６】
しかしながら、このようなスポットライトの取り付け作業や、光源を移動して照射位置を調整する作業は、天井近くの高所において行う必要があるため、危険性が高いという問題がある。
【０００７】
また、一旦スポットライトを設置してしまうと、その後に、光源の照射位置を調整する必要が生じた場合には、その都度、また天井に設置したスポットライトの角度を調節しなければならないが、美術館などでは、作品保護のために展示期間中に再度足場を組むことができない場合もあり、照射位置の修正ができないことがあった。
【０００８】
更にまた、従来の照明器具において、リモコンで遠隔操作可能なものも存在するが、同一のダクトレールに装着した場合、共通の電源系統から供電しているために、すべての照明器具の角度や照度等を同時に制御操作することしかできず、所望の適切な位置に照明を当てることができないという問題があった。
【０００９】
なお、欧米人は比較的暗い照明であっても物を視認できるが、人種的に黒目の日本人などにあっては低照度下における視認能力が弱いこともあって、高輝度な照明およびライトアップ技術が求められている。
【先行技術文献】
【特許文献】
【００１０】
【特許文献１】特開２００２−１１７７０１号公報
【発明の概要】
【発明が解決しようとする課題】
【００１１】
本発明は、従来の屋内照明設備に上記のような問題があったことに鑑みて為されたものであり、その目的とするところは、ＬＥＤ光源により照射対象物の加熱や劣化を防止することができ、かつ、ダクトレールに設置された複数の照明器具であっても、これら各々照明器具を個別に適切に制御することができる個別制御可能な屋内照明設備を提供することにある。
【課題を解決するための手段】
【００１２】
本発明者が上記課題を解決するために採用した手段を添付図面を参照して説明すれば次のとおりである。
【００１３】
即ち、本発明は、通電するダクトレール２を屋内の天井Ｃに配設して、かつ、このダクトレール２に複数の照明器具１・１…を着脱自在に構成した照明設備において、
これら各照明器具１には、ＬＥＤ光源11と、このＬＥＤ光源11の照度を増減可能な調光器12と、同ＬＥＤ光源11の支持部を水平方向および俯仰方向にそれぞれ回転駆動せしめる水平駆動機構13および俯仰駆動機構14と、これら調光器12と水平駆動機構13と俯仰駆動機構14とを制御することによりＬＥＤ光源11の照度と照射方向を調節可能ならしめる制御基板15と、前記ダクトレール２の連結部21に着脱自在なコネクター16と、このコネクター16を介して当該ダクトレール２から器具内部に電力を供給可能な導電線17と、外部無線を受信して前記制御基板15に信号を送信せしめる無線受信部18とを具備して構成する一方、
前記各照明器具１には、それぞれ固有の個体識別番号を設定して、無線送信機３によって任意の照明器具１の個体識別番号を選択して、当該照明器具１の水平駆動機構13および俯仰駆動機構14および調光器12の駆動操作信号を前記無線受信部18に送信することによって、各照明器具１を個別に制御可能に構成するという技術的手段を採用したことによって、個別制御可能な屋内照明設備を完成させた。
【００１４】
また、本発明は、上記課題を解決するために、必要に応じて上記手段に加え、照明器具１の水平駆動機構13および俯仰駆動機構14を、モータおよびウォームギヤによる回転駆動にするという技術的手段を採用した。
【００１５】
更にまた、本発明は、上記課題を解決するために、必要に応じて上記手段に加え、照明器具１のＬＥＤ光源11の調光器12における調光手段を、ＰＷＭ（Pulse-Width-Modulation）方式による光量調節にするという技術的手段を採用した。
【００１６】
更にまた、本発明は、上記課題を解決するために、必要に応じて上記手段に加え、無線送信機３による通信方式を、ＩＥＥＥ８０２．１５．４で規定される無線ＬＡＮ標準規格に準拠させるという技術的手段を採用した。
【００１７】
更にまた、本発明は、上記課題を解決するために、必要に応じて上記手段に加え、照明器具１のＬＥＤ光源11から照射された光の照度を所定間隔を設けて計測可能な照度計を無線送信機３に内蔵して、この照度計により計測した照度データを照明器具１に送信することによって前記ＬＥＤ光源11の照度を増減可能にするという技術的手段を採用した。
【発明の効果】
【００１８】
本発明にあっては、通電するダクトレールを屋内の天井に配設して、かつ、このダクトレールに複数の照明器具を着脱自在に構成した照明設備において、
これら各照明器具には、ＬＥＤ光源と、このＬＥＤ光源の照度を増減可能な調光器と、同ＬＥＤ光源の支持部を水平方向および俯仰方向にそれぞれ回転駆動せしめる水平駆動機構および俯仰駆動機構と、これら調光器と水平駆動機構と俯仰駆動機構とを制御することによりＬＥＤ光源の照度と照射方向を調節可能ならしめる制御基板と、前記ダクトレールの連結部に着脱自在なコネクターと、このコネクターを介して当該ダクトレールから器具内部に電力を供給可能な導電線と、外部無線を受信して前記制御基板に信号を送信せしめる無線受信部とを具備して構成する一方、
前記各照明器具には、それぞれ固有の個体識別番号を設定して、無線送信機によって任意の照明器具の個体識別番号を選択して、当該照明器具の水平駆動機構および俯仰駆動機構および調光器の駆動操作信号を前記無線受信部に送信することによって、各照明器具を個別に制御することができる。
【００１９】
したがって、本発明の屋内照明設備によれば、ＬＥＤ光源により照射対象物の加熱や劣化を防止することができ、かつ、同一のダクトレールに設置した複数の照明器具であっても、各照明器具を個別に制御することができることから、照明設備としての実用的利用価値は頗る高いものがあると云える。
【図面の簡単な説明】
【００２０】
【図１】本発明の実施形態の照明設備に用いる照明器具を表わす全体斜視図である。
【図２】本発明の実施形態の照明設備に用いる照明器具の構造を表わす説明断面図である。
【図３】本発明の実施形態の照明設備に用いる照明器具の構造を表わす説明断面図である。
【図４】本発明の実施形態の照明設備を表わす概略説明図である。
【図５】本発明の実施形態の照明設備の使用状態を表わす斜視図である。
【発明を実施するための形態】
【００２１】
本発明を実施するための形態を、具体的に図示した図面に基づいて更に詳細に説明すると、次のとおりである。
【００２２】
本発明の実施形態を図１から図５に基づいて説明する。図中、符号１で指示するものは照明器具であり、また、符号２で指示するものはダクトレールであり、符号３で指示するものは無線送信機である。
【００２３】
しかして、本実施形態は、通電するダクトレール２が屋内の天井Ｃに配設されており、かつ、このダクトレール２に複数の照明器具１・１…が着脱自在に構成された照明設備である。
【００２４】
まず、これら各照明器具１について説明する。照明器具１は、ＬＥＤ光源11を有する。本実施形態では、色温度２７００〜９０００Ｋ（白色）のＬＥＤを使用する。このＬＥＤの発光は、紫外線および赤外線をほとんど含まない。
【００２５】
また、このＬＥＤ光源11の照度を増減可能な調光器12を有する。本実施形態では、この調光器12における調光手段を、ＰＷＭ（Pulse-Width-Modulation）方式による光量調節にすることができ、自然で滑らかな無段階調光を行うことができる。
【００２６】
そして、同ＬＥＤ光源11の支持部を水平方向および俯仰方向にそれぞれ回転駆動せしめる水平駆動機構13および俯仰駆動機構14とを有する。
【００２７】
本実施形態では、照明器具１の水平駆動機構13および俯仰駆動機構14を、モータおよびウォームギヤによる回転駆動にすることができる。具体的には、モータ（13ａ・14ａ）の回転によってネジ状にしたウォーム（worm）（13ｂ・14ｂ）を回転させ、これに噛み合うネジ歯車状のウォームホイール（worm-wheel）（13ｃ・14ｃ）を移動させて軸回転させるものである。
【００２８】
そして、これら調光器12と水平駆動機構13と俯仰駆動機構14とを制御せしめる制御基板15を有する。この制御基板15のＣＰＵ(マイクロコンピュータ)から各装置に対して命令信号を送信することができる。
【００２９】
また、前記ダクトレール２の連結部21に着脱自在なコネクター16と、このコネクター16を介して当該ダクトレール２から器具内部に電力を供給可能な導電線17とを有する。このコネクター16は、ダクトレール２の（凹溝状の）連結部21に差し込んで、９０度回転させることによってバヨネット式に嵌合して固定することができる。なお、ダクトレール２に供給されている電力は、ＡＣ１００Ｖ、５０／６０Ｈｚの一般用電源である。
【００３０】
そしてまた、外部無線を受信して前記制御基板15に信号を送信せしめる無線受信部18を有する。この無線受信部18は、前記無線送信機３からの外部無線を受信する受信基板である。
【００３１】
そして、前記各照明器具１には、それぞれ固有の個体識別番号を設定する。本実施形態では、各照明器具１に個体を識別するために、前記制御基板15内に無線モジュール等を内蔵し、かつ、メモリ手段に記憶させるとともに、この識別体に対応して少なくとも３チャンネル以上（より好ましくは１６チャンネル以上）設定可能とする。
【００３２】
次いで、無線送信機３によって任意の照明器具１の個体識別番号を選択して、当該照明器具１の水平駆動機構13および俯仰駆動機構14および調光器12の駆動操作信号を前記無線受信部18に送信することによって、各照明器具１を個別に照射位置や照度などを制御することができる。
【００３３】
本実施形態では、無線送信機３の通信方式を、ＩＥＥＥ（アイトリプルイー：The-Institute-of-Electrical-and-Electronics-Engineers,Inc.）８０２．１５．４で規定される無線ＬＡＮ（ローカルエリアネットワーク）標準規格に準拠させることができる。このＩＥＥＥ８０２．１５．４は、２．４ＧＨｚ帯の電波（ＩＳＭ電波：Industrial、Scientific、Medical）を利用して近距離通信を行うための世界標準規格である。このＩＳＭ電波は赤外線よりも到達距離が大きい。なお、無線送信機３は、制御命令内容を直接入力して送信できるハンディタイプのものであっても良いし、パソコンにより制御命令内容を入力して、有線または無線により接続した別の送信機（ＵＳＢ方式など）から送信できるものであっても良い。
【００３４】
このようにして、各照明器具１の独立的な個別制御を実現したことによって、高演色のライトアップを行うことができ、美術品等を見栄え良く見せることができる。
【００３５】
本発明は、概ね上記のように構成されるが、図示の実施形態に限定されるものでは決してなく、「特許請求の範囲」の記載内において種々の変更が可能であって、例えば、照明器具１の各駆動機構は、モータおよびウォームギヤに限らず、かさ歯車を採用することができる。
【００３６】
また、本実施形態では、照明器具１のＬＥＤ光源11から照射された光の照度を所定間隔（例えば天井と美術品との間隔）を設けて計測可能な照度計を無線送信機３に内蔵することができ、この照度計により計測した照度データ（ルクス等）を照明器具１に送信することによって前記ＬＥＤ光源11の照度を増減することもできる。
【００３７】
更にまた、照明器具１の調光器12の調光手段として、開口絞りや視野絞りを採用することができ、更に、そのための物理的駆動機構を設けることができる。
【００３８】
更にまた、必要に応じて、照明器具１に位置センサーを内蔵する一方、舞台上で移動する演者に位置発信器を携帯させることにより、照明の焦点を演者の動作に追従させることもでき、これら何れのものも本発明の技術的範囲に属する。
【符号の説明】
【００３９】
１    照明器具
11    ＬＥＤ光源
12    調光器
13    水平駆動機構
13ａ  モータ
13ｂ  ウォーム
13ｃ  ウォームホイール
14    俯仰駆動機構
14ａ  モータ
14ｂ  ウォーム
14ｃ  ウォームホイール
15    制御基板
16    コネクター
17    導電線
18    無線受信部
２    ダクトレール
21    連結部
３    無線送信機
Ｃ    天井
【図１】
2012174548.tif 000003
【図２】
2012174548.tif 000004
【図３】
2012174548.tif 000005
【図４】
2012174548.tif 000006
【図５】
2012174548.tif 000007